(57)【要約】    【課題】子機からの呼び出しを携帯端末に通報させるにあたり必要とされるＰＢＸ交換機として、機種が異なる複数のＰＢＸ交換機を適用する。    【解決手段】複数のＰＢＸ交換機６０ａ、６０ｂの機種毎で異なる通信手順のプログラムをナースコール制御機７０のメモリ７３に格納し、ＩＳＤＮ基本インターフェース（ハードウェア基本インターフェース）７２に接続させた各ＰＢＸ交換機に対応して選択することにより、選択された通信手順のプログラムをもとにＩＳＤＮ基本インターフェースが制御され、このＩＳＤＮ基本インターフェースを使用して通信を行うＰＢＸ交換機を介して子機１ａ〜４ａ、１ｂ〜４ｂ、・・・からの呼び出しが携帯端末４０ａ、４０ｂ、・・・に通報される。    【選択図】図１
2005269227.tif 000002
【特許請求の範囲】
【請求項１】
病室内の各病床に設置された子機（１ａ〜４ａ、１ｂ〜４ｂ、・・・）が有する呼出ボタン（１０）による呼び出しを集合廊下灯（２０ａ、２０ｂ、・・・）にて検出し、前記集合廊下灯からの呼出信号をナースコール制御機（７０）を介してナースコール親機（３０）に伝送させ前記呼び出しを通報するとともに、前記集合廊下灯からの呼出信号を前記ナースコール制御機のハードウェア基本インターフェース（７２）およびＰＢＸ交換機（６０ａ、６０ｂ）を介して携帯端末（４０ａ、４０ｂ、・・・）に伝送させ前記呼び出しを通報するナースコールシステムであって、
前記ナースコール制御機は、前記ハードウェア基本インターフェースを利用して前記ＰＢＸ交換機との間で通信を行う通信手順のプログラムを前記ＰＢＸ交換機の機種毎に格納するためのメモリ（７３）と、前記ナースコール制御機に接続される各ＰＢＸ交換機に対応させて前記メモリに格納されている前記通信手順のプログラムを選択して前記ナースコール制御機および前記各ＰＢＸ交換機の間を接続可能にするためのプログラム設定部（７４）とを備えたことを特徴とするナースコールシステム。
【請求項２】
前記ハードウェア基本インターフェースは、ＩＳＤＮ基本インターフェースを使用して前記ＰＢＸ交換機との通信を行うことを特徴とする請求項１記載のナースコールシステム。
【請求項３】
前記選択された前記通信手順のプログラムが前記ＰＢＸ交換機の機種に対応していないことを前記ナースコール制御機が検出し、前記ナースコール親機にて警報音の発報および／またはディスプレイ表示で報知することを特徴とする請求項１または請求項２記載のナースコールシステム。
【発明の詳細な説明】
【技術分野】
【０００１】
本発明は、病院等に設置されるナースコールシステムに係り、特に、子機からの呼び出しを携帯端末に通報させるにあたり必要とされるＰＢＸ交換機として、機種が異なる複数のＰＢＸ交換機を適用することができるナースコールシステムに関する。
【背景技術】
【０００２】
従来から、この種のナースコールシステムとして、図３のシステム説明図に示す構成のナースコールシステムが提案されている。
【０００３】
従来例のナースコールシステムによれば、Ａ号室内、Ｂ号室内、・・・のような病室内の各病床に設置された子機１０１ａ〜１０４ａ、１０１ｂ〜１０４ｂ、・・・が有する呼出ボタンを使用した患者からの呼出種別毎で異なる呼び出しを集合廊下灯２００ａ、２００ｂ、・・・にてそれぞれ検出し、検出された呼び出しをナースコール制御機７００を介してナースコール親機３００に通報するとともに、ナースコール制御機７００の制御回路７０１の制御によりメモリ７０３から読み出される単一の通信手順のプログラムをもとにハードウェア基本インターフェースをなすＩＳＤＮ基本インターフェース７０２を制御させ、このＩＳＤＮ基本インターフェース７０２を使用して通信を行うＰＢＸ交換機６００、基地局５００を介して全ての携帯端末４００ａ、４００ｂ、・・・、または特定の携帯端末に上述の呼び出しを通報することができる（例えば、非特許文献１を参照）。
【０００４】
【非特許文献１】アイホン総合カタログ２００３／２００４年版（３４６〜３４９頁等）
【発明の開示】
【発明が解決しようとする課題】
【０００５】
しかしながら、従来例のナースコールシステムにおいて、ナースコール制御機７００のメモリ７０３には、ＰＢＸ交換機６００に対応させた単一の通信手順のプログラムのみが予め格納されているため、機種が異なる別途のＰＢＸ交換機を適用するにあたっては、適用するＰＢＸ交換機に対応させた通信手順のプログラムが予め格納されているメモリを備えたナースコール制御機をナースコール制御機７００とは別途に設けなければならなかった。
【０００６】
本発明は、上述の難点を解消するためのもので、複数のＰＢＸ交換機の機種毎で異なる通信手順のプログラムをナースコール制御機のメモリに格納し、ナースコール制御機に接続させた各ＰＢＸ交換機に対応して選択された通信手順のプログラムをもとに子機からの呼び出しを携帯端末に通報することができるナースコールシステムを提供することを目的としている。
【課題を解決するための手段】
【０００７】
上述の目的を達成するため、本発明のナースコールシステムは、病室内の各病床に設置された子機が有する呼出ボタンによる呼び出しを集合廊下灯にて検出し、集合廊下灯からの呼出信号をナースコール制御機を介してナースコール親機に伝送させ呼び出しを通報するとともに、集合廊下灯からの呼出信号をナースコール制御機のハードウェア基本インターフェースおよびＰＢＸ交換機を介して携帯端末に伝送させ呼び出しを通報する当該システムである。ナースコール制御機は、ハードウェア基本インターフェースを使用してＰＢＸ交換機との間で通信を行う通信手順のプログラムをＰＢＸ交換機の機種毎に格納するためのメモリと、ナースコール制御機に接続される各ＰＢＸ交換機に対応させてメモリに格納されている通信手順のプログラムを選択してナースコール制御機および各ＰＢＸ交換機の間を接続可能にするためのプログラム設定部とを備えている。
【０００８】
また、本発明のナースコールシステムにおいて、ハードウェア基本インターフェースは、ＩＳＤＮ基本インターフェースを使用してＰＢＸ交換機との間で通信を行うものである。
【０００９】
また、本発明のナースコールシステムは、選択された通信手順のプログラムがＰＢＸ交換機の機種に対応していないことをナースコール制御機が検出し、ナースコール親機にて警報音の発報および／またはディスプレイ表示で報知するものである。
【発明の効果】
【００１０】
本発明のナースコールシステムによれば、複数のＰＢＸ交換機の機種毎で異なる通信手順のプログラムをナースコール制御機のメモリに格納し、ＩＳＤＮ基本インターフェース（ハードウェア基本インターフェース）に接続させた各ＰＢＸ交換機に対応して選択することにより、選択された通信手順のプログラムをもとにＩＳＤＮ基本インターフェースが制御され、このＩＳＤＮ基本インターフェースを使用して通信を行うＰＢＸ交換機を介して子機からの呼び出しを携帯端末に通報することができることから、複数のＰＢＸ交換機の機種毎に当該ナースコール制御機を設ける必要がなく生産性の効率が向上されるばかりでなく、予め選択された通信手順のプログラムに対応していないＰＢＸ交換機がＩＳＤＮ基本インターフェースに接続された場合には、その旨をナースコール親機に報知することができる。
【発明を実施するための最良の形態】
【００１１】
以下、本発明のナースコールシステムを適用した最良の実施の形態例について、図面を参照して説明する。
【００１２】
図１（ａ）、図１（ｂ）は、本発明の実施例によるナースコールシステムの構成として、機種が異なるＰＢＸ交換機６０ａ、６０ｂをそれぞれ有する構成例（以下、第１、第２の各構成例という。）を示す各システム説明図である。
【００１３】
図１（ａ）、図１（ｂ）の各システム説明図に示すナースコールシステムは、Ａ号室内、Ｂ号室内、・・・のような病室内の各病床に設置され、病床の患者がナースステーション内に在室中の看護師（以下、在室看護師という。）や後述する携帯端末４０ａ、４０ｂ、・・・を携行しながら病院内を巡回中の医師や看護師等（以下、巡回看護師という。）のうち全ての巡回看護師、または担当の巡回看護師に対して通常の呼び出し（ナースコール呼び出しと同意）、緊急の呼び出し、トイレ呼び出し等のような呼出種別毎で異なる操作を行うための呼出ボタン１０を有し、呼出先の看護師（在室看護師、巡回看護師）との間で通話を成立させるための機能を備えた（複数の）子機、ここでは、病室毎４台ずつの子機１ａ〜４ａ、１ｂ〜４ｂ、・・・と、各病室の出入口近傍、例えば、廊下に設置され、子機ラインＬ1a〜Ｌ4a、Ｌ1b〜Ｌ4b、・・・を介して接続された各子機１ａ〜４ａ、１ｂ〜４ｂ、・・・の呼出ボタン１０の操作、すなわち、病床の患者からの呼出種別毎で異なる呼び出しを検出するための（複数の）集合廊下灯２０ａ、２０ｂ、・・・と、ナースステーション内に設置され、病床の患者からの呼出種別毎で異なる呼び出しが通報され、この通報を確認した在室看護師が呼出元の患者との間で通話を成立させるためのナースコール親機３０と、複数の巡回看護師、例えば、病床の患者を担当するチーム毎に割り当てられた複数の巡回看護師により携行されており、病床の患者からの呼出種別毎で異なる呼び出しが通報され、この通報を確認した巡回看護師が呼出元の患者との間で通話を成立させるための例えば、ＰＨＳ（Personal Handyphone System）等の（複数の）携帯端末４０ａ、４０ｂ、・・・と、各携帯端末４０ａ、４０ｂ、・・・を無線制御するための基地局５０と、基地局ラインＬ13を介して接続された基地局５０および交換機ラインＬ12を介して接続された後述するナースコール制御機７０の間の信号伝送路を形成するためのＰＢＸ交換機、ここでは、機種が異なるＰＢＸ交換機６０ａ、６０ｂと、病院内の共用部、例えば、ナースステーション内や廊下等に設置され、廊下灯ラインＬ10を介して縦接続された各集合廊下灯２０ａ、２０ｂ、・・・、親機ラインＬ11を介して接続されたナースコール親機３０、交換機ラインＬ12を介して接続された各ＰＢＸ交換機６０ａ、６０ｂをそれぞれ制御するためのナースコール制御機７０とから構成されている。
【００１４】
また、図１（ａ）、図１（ｂ）の各システム説明図において、（複数の）子機１ａ〜４ａ、１ｂ〜４ｂ、・・・はそれぞれ同様な構成であり、上述の呼出ボタン１０と、病床の患者が呼出先の在室看護師または巡回看護師との間で通話を成立させるための音声を送受信する子機マイク１１および子機スピーカ１２とを有している。
【００１５】
また、図１（ａ）、図１（ｂ）の各システム説明図において、（複数の）集合廊下灯２０ａ、２０ｂ、・・・はそれぞれ同様な構成であり、上述のような呼出検出機能の他、子機ラインＬ1a〜Ｌ4a、Ｌ1b〜Ｌ4b、・・・を介して接続された各子機１ａ〜４ａ、１ｂ〜４ｂ、・・・からの呼び出しがあることを呼出種別毎異なるパターンで表示するとともに呼出元の患者が通話中である旨を表示するためのＬＥＤ（Light Emitting Diode）等の廊下表示灯２１を有している。
【００１６】
また、図１（ａ）、図１（ｂ）の各システム説明図において、ナースコール親機３０は、集合廊下灯２０ａ、２０ｂ、・・・から出力される呼出信号をもとに呼出元の子機１ａ〜４ａ、１ｂ〜４ｂ、・・・を検出し、検出された子機が設置される病床を呼出種別毎異なるパターンで表示するとともに呼出先の在室看護師が通話中である旨を表示するためのＬＥＤ等の親機表示灯３１と、上述の呼び出しを通報させるための呼出音として呼出種別毎で異なるパターンの呼出音（音声メッセージを含む）を出力するとともに、ナースコール制御機７０の後述するプログラム設定部７４の操作により予め選択された通信手順のプログラムに対応していないＰＢＸ交換機６０ａ、６０ｂが後述するハードウェア基本インターフェース７２に接続されている場合において、その旨の警報音（音声メッセージを含む）を発報するための親機スピーカ３２と、親機スピーカ３２からの発報の内容と同様、ナースコール制御機７０の後述するプログラム設定部７４の操作により予め選択された通信手順のプログラムに対応していないＰＢＸ交換機６０ａ、６０ｂが後述するハードウェア基本インターフェース７２に接続されている旨を文字や絵データでディスプレイ表示するためのＬＣＤ（Liquid Crystal Display）、有機ＥＬ（Electroluminescence）等の親機表示部３３と、在室看護師が呼出元の患者との間で通話を成立させるための音声を送受信するハンドセット３４とを有している。なお、親機表示部３３には、上述の呼び出しが検出された子機が設置される病床を呼出種別の情報とともにディスプレイ表示する機能および呼出先の在室看護師が通話中である旨をディスプレイ表示する機能も備えられている。
【００１７】
また、図１（ａ）、図１（ｂ）の各システム説明図において、（複数の）携帯端末４０ａ、４０ｂ、・・・はそれぞれ同様な構成であり、集合廊下灯２０ａ、２０ｂ、・・・から出力される呼出信号をもとに呼出元の子機１ａ〜４ａ、１ｂ〜４ｂ、・・・を検出し、検出された子機が設置される病床を呼出種別の情報とともにディスプレイ表示するためのＬＣＤ、有機ＥＬ等の端末表示部４１と、上述の呼び出しを通報させるための呼出音として呼出種別毎で異なるパターンの呼出音（音声メッセージを含む）を出力するとともに、巡回看護師が呼出元の患者との間で通話を成立させるための音声を受信する端末スピーカ４２と、端末スピーカ４２とともに巡回看護師が呼出元の患者との間で通話を成立させるために使用し、音声を送信する端末マイク４３とを有している。
【００１８】
さらに、図１（ａ）、図１（ｂ）の各システム説明図において、ナースコール制御機７０は、当該ナースコール制御機の構成各部および当該システムを制御するための制御回路７１と、制御回路７１および交換機ラインＬ12の間の信号伝送路を形成するためのハードウェア基本インターフェース、ここでは、ＩＳＤＮ基本インターフェース７２と、ＩＳＤＮ基本インターフェース７２を使用して各ＰＢＸ交換機６０ａ、６０ｂとの間で通信を行う通信手順のプログラムを当該ＰＢＸ交換機の機種毎に格納するためのＲＯＭ（Read Only Memory）、ＲＡＭ（Random Access Memory）等のメモリ７３と、メモリ７３に予め格納されている複数の通信手順のプログラムのうち、ＰＢＸ交換機６０ａ、６０ｂの機種毎に対応させて選択した当該プログラムをもとに当該ナースコール制御機およびＰＢＸ交換機６０ａ、６０ｂの間を接続可能にするためのプログラム設定部７４とを有している。
【００１９】
このように構成された本発明の実施例によるナースコールシステムにおいて、以下、具体的な動作について説明する。
【００２０】
本発明の実施例による第１の動作として、図１（ａ）のシステム説明図に示すナースコール制御機７０において、メモリ７３に予め格納されている複数の通信手順のプログラムのうち、ＩＳＤＮ基本インターフェース７２に交換機ラインＬ12を介して接続される当該ＰＢＸ交換機として図示のようなＰＢＸ交換機６０ａを適用するにあたり必要とされる通信手順のプログラムＰaがプログラム設定部７４の操作にて選択され、この選択操作を検出した制御回路７１の制御によりメモリ７３から読み出されている場合、Ａ病室、Ｂ号室、・・・のような複数の病室内の各病床のうち、ここでは、Ａ号室内で子機１ａが病床に設置されている患者が呼出種別毎で異なる呼出操作のうち、通常のナースコール呼び出しのための操作を呼出ボタン１０を使用して行うと、この呼出操作を子機ラインＬ1aを介して検出した集合廊下灯２０ａは、呼出元の子機１ａに割り当てられている子機番号、自廊下灯に割り当てられている病室番号および通常のナースコール呼び出しを示す呼出種別の情報を付加させた呼出信号Ｓ1を廊下灯ラインＬ10に出力するとともに、呼出元の子機１ａに該当する廊下表示灯２１を上述の呼出種別に対応したパターンで点滅／点灯表示させる。また、集合廊下灯２０ａからの呼出信号Ｓ1は、廊下灯ラインＬ10を介してナースコール制御機７０と自廊下灯を除く他の集合廊下灯２０ｂ、・・・とへそれぞれ伝送される。
【００２１】
なお、（集合廊下灯２０ａを除く）他の集合廊下灯２０ｂ、・・・では、入力された呼出信号Ｓ1がナースコール制御機７０からの出力信号でないと判断して何ら動作を行わない。
【００２２】
ナースコール制御機７０の制御回路７１は、集合廊下灯２０ａからの呼出信号Ｓ1に付加されている子機番号、病室番号および呼出種別の情報をもとに病室Ａ内で子機１ａが病床に設置されている患者からの通常のナースコール呼び出しがあることを検出し、ナースコール親機３０に通報させるための呼出報知信号として、上述の子機番号、病室番号および呼出種別の情報を付加させた親機呼出報知信号Ｓ2を親機ラインＬ11を介して当該ナースコール親機に出力するとともに、全ての携帯端末４０ａ、４０ｂ、・・・および／または呼出元の患者を担当するチーム毎の巡回看護師により携行されている特定の携帯端末に通報させるための呼出報知信号として、呼出先の当該携帯端末に割り当てられている端末番号および所定の呼出報知データ（詳述せず）を付加させた端末呼出報知信号Ｓ3をＩＳＤＮ基本インターフェース７２に出力する。この端末呼出報知信号Ｓ3は、メモリ７３から読み出した通信手順のプログラムＰaにより制御されているＩＳＤＮ基本インターフェース７２を使用し、交換機ラインＬ12、ＰＢＸ交換機６０ａ、基地局ラインＬ13、基地局５０を介して適宜、信号処理された端末呼出報知無線信号Ｓ3aとして全ての携帯端末４０ａ、４０ｂ、・・・へとそれぞれ伝送される。
【００２３】
また、ナースコール親機３０は、ナースコール制御機７０からの親機呼出報知信号Ｓ2に付加されている子機番号、病室番号および呼出種別の情報をもとに病室Ａ内で子機１ａが病床に設置されている患者からの通常のナースコール呼び出しがあることを検出し、呼出元の子機１ａが設置された病床に該当する親機表示灯３１を呼出種別毎異なるパターンで点滅／点灯表示させるとともに、所定のパターンの呼出音（音声メッセージを含む）を親機スピーカ３２から出力させて通報を行う。
【００２４】
なお、ナースコール親機３０では、呼出元の子機１ａが設置された病床に該当する親機表示灯３１を呼出種別毎異なるパターンで点滅／点灯表示させるのみならず、視覚的な通報手段として、病室Ａ内で子機１ａが病床に設置されている患者からの通常のナースコール呼び出しがある旨の内容を文字や絵データで親機表示部３３にディスプレイ表示させることもできる。
【００２５】
また、全ての携帯端末４０ａ、４０ｂ、・・・は、基地局５０からの端末呼出報知無線信号Ｓ3aを電気信号へと信号処理し、信号処理された端末呼出報知信号Ｓ3に付加されている端末番号と自端末に割り当てられている端末番号とが一致した場合には、病室Ａ内で子機１ａが病床に設置されている患者からの通常のナースコール呼び出しがあることを検出し、同様に付加されている呼出報知データ（詳述せず）の内容を文字や絵データで端末表示部４１にディスプレイ表示させるとともに、所定のパターンの呼出音（音声メッセージを含む）を端末スピーカ４２から出力させて通報を行う。例えば、上述の端末呼出報知信号Ｓ3に付加されている端末番号が全ての携帯端末４０ａ、４０ｂ、・・・を指定するための複数の端末番号が付加されている場合には、全ての携帯端末４０ａ、４０ｂ、・・・にて上述の通報が行われる。一方、上述の端末呼出報知信号Ｓ3に付加されている端末番号が特定の携帯端末を指定するための端末番号が付加されている場合には、該当する携帯端末にて上述の通報が行われる。
【００２６】
さらに、上述の通報をもとに病室Ａ内で子機１ａが病床に設置されている患者からの通常のナースコール呼び出しがあることを確認した在室看護師と全ての巡回看護師、または特定の巡回看護師とのうち、最先に応答した看護師は呼出元の患者との間で通話を成立させることができる（詳述せず）。
【００２７】
次に、本発明の実施例による第２の動作として、図１（ｂ）のシステム説明図に示すナースコール制御機７０において、メモリ７３に予め格納されている複数の通信手順のプログラムのうち、ＩＳＤＮ基本インターフェース７２に交換機ラインＬ12を介して接続される当該ＰＢＸ交換機として図示のようなＰＢＸ交換機６０ｂを適用するにあたり必要とされる通信手順のプログラムＰbがプログラム設定部７４の操作にて選択され、この選択操作を検出した制御回路７１の制御によりメモリ７３から読み出されている場合、本発明の実施例による第１の動作と同様、Ａ号室内で子機１ａが病床に設置されている患者が呼出種別毎で異なる呼出操作のうち通常のナースコール呼び出しのための操作を呼出ボタン１０を使用して行うと、この呼出操作を子機ラインＬ1aを介して検出した集合廊下灯２０ａは、上述の呼出信号Ｓ1を廊下灯ラインＬ10を介してナースコール制御機７０と自廊下灯を除く他の集合廊下灯２０ｂ、・・・とにそれぞれ出力するとともに、呼出元の子機１ａに該当する廊下表示灯２１を上述の呼出種別に対応したパターンで点滅／点灯表示させる。
【００２８】
なお、（集合廊下灯２０ａを除く）他の集合廊下灯２０ｂ、・・・では、入力された呼出信号Ｓ1がナースコール制御機７０からの出力信号でないと判断して何ら動作を行わない。
【００２９】
ナースコール制御機７０の制御回路７１は、本発明の実施例による第１の動作と同様、集合廊下灯２０ａからの呼出信号Ｓ1に付加されている子機番号、病室番号および呼出種別の情報をもとに病室Ａ内で子機１ａが病床に設置されている患者からの通常のナースコール呼び出しがあることを検出し、上述の親機呼出報知信号Ｓ2を親機ラインＬ11を介してナースコール親機３０に出力するとともに、上述の端末呼出報知信号Ｓ3をＩＳＤＮ基本インターフェース７２に出力する。この端末呼出報知信号Ｓ3は、メモリ７３から読み出した通信手順のプログラムＰbにより制御されているＩＳＤＮ基本インターフェースを使用し、交換機ラインＬ12、ＰＢＸ交換機６０ｂ、基地局ラインＬ13、基地局５０を介して適宜、信号処理された端末呼出報知無線信号Ｓ3aとして全ての携帯端末４０ａ、４０ｂ、・・・へとそれぞれ伝送される。
【００３０】
また、ナースコール親機３０は、ナースコール制御機７０からの親機呼出報知信号Ｓ2に付加されている子機番号、病室番号および呼出種別の情報をもとに病室Ａ内で子機１ａが病床に設置されている患者からの通常のナースコール呼び出しがあることを検出し、本発明の実施例による第１の動作と同様な手段で通報を行う。
【００３１】
また、全ての携帯端末４０ａ、４０ｂ、・・・は、基地局５０からの端末呼出報知無線信号Ｓ3aを電気信号へと信号処理し、信号処理された端末呼出報知信号Ｓ3に付加されている端末番号と自端末に割り当てられている端末番号とが一致した場合には、病室Ａ内で子機１ａが病床に設置されている患者からの通常のナースコール呼び出しがあることを検出し、本発明の実施例による第１の動作と同様な手段で通報を行う。
【００３２】
さらに、上述の通報をもとに病室Ａ内で子機１ａが病床に設置されている患者からの通常のナースコール呼び出しがあることを確認した在室看護師と全ての巡回看護師、または特定の巡回看護師とのうち、最先に応答した看護師は呼出元の患者との間で通話を成立させることができる（詳述せず）。
【００３３】
本発明の実施例による第１、第２の各動作で明らかなように、複数のＰＢＸ交換機６０ａ、６０ｂの機種毎で異なる通信手順のプログラムＰa、Ｐbをナースコール制御機７０にのメモリ７３に格納し、ＩＳＤＮ基本インターフェース（ハードウェア基本インターフェース）７２に接続させた各ＰＢＸ交換機６０ａ、６０ｂに対応して選択することにより、選択された通信手順のプログラムをもとにＩＳＤＮ基本インターフェース７２が制御され、このＩＳＤＮ基本インターフェー７２を使用して通信を行うＰＢＸ交換機６０ａ、６０ｂを介して子機１ａ〜４ａ、１ｂ〜４ｂ、・・・からの呼び出しを携帯端末４０ａ、４０ｂ、・・・に通報することができることから、複数のＰＢＸ交換機６０ａ、６０ｂの機種毎に当該ナースコール制御機を設ける必要がなく生産性の効率が向上される。
【００３４】
次に、本発明の実施例による第３の動作として、図２のシステム説明図に示すナースコール制御機７０において、メモリ７３に予め格納されている複数の通信手順のプログラムのうち、本発明の実施例による第１の動作と同様、プログラム設定部７４の操作にて選択され、この選択操作を検出した制御回路７１の制御により通信手順のプログラムＰaがメモリ７３から読み出されているのにも関わらず、実際にはＩＳＤＮ基本インターフェース７２に交換機ラインＬ12を介して接続される当該ＰＢＸ交換機として図示のようなＰＢＸ交換機６０ｂが接続されていたとすると、これを検出した制御回路７１は、ナースコール親機３０にその旨を報知させるための警報報知信号Ｓ4を親機ラインＬ11を介して当該ナースコール親機に出力する。
【００３５】
ナースコール親機３０は、ナースコール制御機７０からの警報報知信号Ｓ4をもとに、プログラム設定部７４にて選択された通信手順のプログラムとして通信手順のプログラムＰaが選択されているのにも関わらず、実際にはＩＳＤＮ基本インターフェース７２に交換機ラインＬ12を介して接続される当該ＰＢＸ交換機としてＰＢＸ交換機６０ｂが接続されていることを検出し、その旨の警報音（音声メッセージを含む）を親機スピーカ３２から発報させるともに、その旨の内容を文字や絵データで親機表示部３３にディスプレイ表示させて報知することにより、この報知を確認した在室看護師にプログラム設定の変更が促される。
【００３６】
なお、本発明の実施例において、ナースコール制御機７０の制御回路７１は、通信手順のプログラムＰaがＰＢＸ交換機６０ｂに対応していないことを検出して、その旨をナースコール親機３０にて報知させたが、ＰＢＸ交換機６０ｂに対応した正しい通信手順のプログラムＰbをメモリ７３から読み出して当該プログラムを変更することもできる。このとき、ＰＢＸ交換機６０ｂに対応した正しい通信手順のプログラムＰbがメモリ７３に格納されていない場合には、その旨の警報音（音声メッセージを含む）をナースコール親機３０の親機スピーカ３２から発報させるともに、その旨の内容を文字や絵データで親機表示部３３にディスプレイ表示させて報知する。
【００３７】
また、本発明の実施例においては、ナースコール制御機７０のＩＳＤＮ基本インターフェース７２を使用して各ＰＢＸ交換機６０ａ、６０ｂとの間で通信を行う通信手順のプログラムを当該ＰＢＸ交換機の機種毎に格納するメモリとして、複数の通信手順のプログラムが格納された単一のメモリ７３を適用したが、これに限定されず、複数の通信手順のプログラム毎に個別のメモリを適用させることもできる。
【００３８】
さらに、本発明の実施例においては、ナースステーション内に設置されるナースコール親機として、親機表示灯３１、親機スピーカ３２、親機表示部３３、ハンドセット３４を有するボード型のナースコール親機３０を適用したが、これに限定されず、子機１ａ〜４ａ、１ｂ〜４ｂ、・・・からの呼び出しを通報する手段、およびナースコール制御機７０のプログラム設定部７４にて選択された通信手順のプログラムとして単一の通信手順のプログラムが選択されているのにも関わらず、実際にはＩＳＤＮ基本インターフェース７２に交換機ラインＬ12を介して接続される当該ＰＢＸ交換機として該当するＰＢＸ交換機６０ａ、６０ｂが接続されていない旨を報知する手段として、視覚的な通報／報知手段、例えば、ディスプレイ表示機能を有するパーソナルコンピュータ（図示せず）と聴覚的な通報／報知手段、例えば、親機スピーカを有するナースコール通話部（図示せず）とが分離して構成されるナースコール親機も好適である。
【図面の簡単な説明】
【００３９】
【図１】図１（ａ）は、本発明のナースコールシステムの第１の構成例を示すシステム説明図であり、図１（ｂ）は、本発明のナースコールシステムの第２の構成例を示すシステム説明図である。
【図２】図２は、本発明のナースコールシステムの第３の構成例を示すシステム説明図である。
【図３】図３は、従来例のナースコールシステムの構成を示すシステム説明図である。
【符号の説明】
【００４０】
１ａ〜４ａ、１ｂ〜４ｂ、・・・……子機
１０……呼出ボタン
２０ａ、２０ｂ、・・・ ……集合廊下灯
３０……ナースコール親機
４０ａ、４０ｂ、・・・ ……携帯端末
６０ａ、６０ｂ……ＰＢＸ交換機
７０……ナースコール制御機
７２……ＩＳＤＮ基本インターフェース（ハードウェア基本インターフェース）
７３……メモリ
７４……プログラム設定部
【図１】
2005269227.tif 000003
【図２】
2005269227.tif 000004
【図３】
2005269227.tif 000005